(57)【特許請求の範囲】
【請求項１】
火災による温度及び侵入を検知する少なくとも１本の光ファイバケーブルを有した１本のワイヤーを備え、前記ワイヤーは監視する所定の箇所に敷設され、また、前記光ファイバケーブルと接続する防災受信機を備え、
前記防災受信機は、前記光ファイバケーブルに接続されて火災による温度を検知する火災検知手段及び侵入を検知する侵入検知手段と、前記火災検知手段及び前記侵入検知手段で検知した異常信号を受け、警報を発する警報発生手段と、異常信号に応じた異常内容及び異常発生箇所を外部へ報知する報知手段を有し、
前記光ファイバケーブルが、火災による温度の検知用の光ファイバケーブルと侵入の検知用の光ファイバケーブルがバンドルされて１本に構成され、火災温度検知用の光ファイバケーブルにブリルアン散乱を利用した火災検知手段が接続され、侵入検知用の光ファイバケーブルに歪によるレイリー散乱の伝送損失を利用した侵入検知手段が接続され、前記光ファイバケーブルが、検知の感度と検知箇所の位置の特定のためにシングルモードファイバからなり、前記ワイヤーが、引っ張り強度を得るためにテンションメンバまたは外層の被覆を有していることを特徴とする火災及び侵入の検知並びに報知システム。
【請求項２】
火災による温度及び侵入を検知する少なくとも１本の光ファイバケーブルを有した１本のワイヤーを備え、前記ワイヤーは監視する所定の箇所に敷設され、また、前記光ファイバケーブルと接続する防災受信機を備え、
前記防災受信機は、前記光ファイバケーブルに接続されて火災による温度を検知する火災検知手段及び侵入を検知する侵入検知手段と、前記火災検知手段及び前記侵入検知手段で検知した異常信号を受け、警報を発する警報発生手段と、異常信号に応じた異常内容及び異常発生箇所を外部へ報知する報知手段を有し、
前記光ファイバケーブルが、火災による温度の検知用の光ファイバケーブルと侵入の検知用の光ファイバケーブルがバンドルされて１本に構成され、火災温度検知用の光ファイバケーブルにブリルアン散乱を利用した火災検知手段が接続され、侵入検知用の光ファイバケーブルにブリルアン散乱を利用した侵入検知手段が接続され、前記光ファイバケーブルが、検知の感度と検知箇所の位置の特定のためにシングルモードファイバからなり、前記ワイヤーが、引っ張り強度を得るためにテンションメンバまたは外層の被覆を有していることを特徴とする火災及び侵入の検知並びに報知システム。
【請求項３】
前記光ファイバケーブルが、１本の光ファイバケーブルからなり、前記防災受信機に備えられたブリルアン散乱検知手段により、前記火災検知手段と前記侵入検知手段を兼ねることを特徴とする請求項２に記載の火災及び侵入の検知並びに報知システム。
【発明の詳細な説明】
【技術分野】
【０００１】
本発明は、ビル、家屋、工場、スマートハウス、データセンターなどの建造物における火災及び侵入を検知して警報を発する火災及び侵入の検知並びに報知システムに関する。
【背景技術】
【０００２】
ビル、家屋、工場、スマートハウス、データセンターなどの建造物における火災や侵入の検知手段として、例えば、火災の検知にあっては、煙感知器や熱感知器によって火災を検知し（例えば、特許文献１、２参照。）、また、侵入の検知にあっては、赤外線ビーム探知器や人感センサーによって不法侵入を検知する（例えば、特許文献３参照。）検知手段がある。
【０００３】
これらの検知手段は別個の装置により防災を担当しており、共通する構成がないことから、火災や侵入を検知する機能を統合するには装置が複雑となり敷設作業上、また管理上の点から困難とされ、これらの機能を統合した検知と報知に関するシステムはない。
【先行技術文献】
【特許文献】
【０００４】
【特許文献１】特開昭５９−１３２０９４号公報
【特許文献２】特開２００２−１３３５５０号公報
【特許文献３】特開２００６−９９５０１号公報
【発明の概要】
【発明が解決しようとする課題】
【０００５】
上記のように、従来は、火災や侵入を検知する機能を統合した検知と報知に関するシステムはなかった。そのため１つの建造物に火災や侵入を検知する検知と報知に関するシステムを備えようとする場合は、それぞれ検知システムを別々の作業で敷設しなければならず、また、それらの検知システムを統合して報知するシステムもないため、個別に報知システムを構築しなければならず、構成が複雑になるばかりではなく、敷設作業が複雑となり、システムの占有面積が大きくなり、有効面積が狭められることになるといった問題があった。
【０００６】
本発明者は、かかる問題を解決すべく研究を重ねた結果、光ファイバの機能に着目した。
光ファイバの機能を利用した検知手段として、例えば、後方散乱光を受光し、光ファイバに加わった熱により変化したラマン散乱光強度によって温度を測定し温度を検知するとともに、ラマン散乱光が入射端に戻ってくるまでの時間をＯＴＤＲ（Optical Time Domain Reflect-meter）の手法で測定することにより熱が加わった光ファイバ中の位置を特定する光ファイバ式分布形温度センサーが知られており（特開平７−１６７７１７号公報）、火災の熱を検知する機能を利用することにより火災の検知が可能となる。
【０００７】
また、光ファイバ中のブリルアン散乱光の強度より温度を測定し後方散乱光が入射端に戻ってくるまでの時間より光ファイバ中の位置を特定し、さらに、ブリルアン散乱光の周波数のシフトによって、光ファイバに触れることによる光ファイバの歪みを検知するとともに、ブリルアン散乱光が入射端に戻ってくるまでの時間より歪みが発生した箇所を特定できることが知られている（特開平４−２４８４２６号公報）。
【０００８】
また、光ファイバをループ状に敷設し、光ファイバに光分岐結合素子を接続し、光ファイバに光源から発せられた光を時計回り及び反時計回りに伝播させ、伝播光の遅延時間の差を位相変位として検出し（光ファイバリング干渉型）光ファイバの振動を検知するとともに、振動が発生した場所を特定できることが知られている（特開２０００−４６５６４号公報）。この機能を侵入者の検知装置として光ファイバ中の干渉光の強度変化から光ファイバの振動と振動位置を検知し侵入を検知する光ファイバリングリング干渉型センサーによる侵入者検知装置が知られている（特開２００５−３４５１３７号公報）。
【０００９】
また、レイリー散乱による光ファイバに加わった曲げ歪を光ファイバの後方散乱光の損失から検知し、光ファイバの歪量を位相差測定手段で測定するＯＴＤＲについては特開平３−６８８２５号公報に開示されている。また、ＯＴＤＲについてはレイリー散乱をヘテロダイン受信して感度を向上させるＣ−ＯＴＤＲ（Coherent-Optical Time Domain Reflectometer）と光ファイバの歪によるブリルアン散乱現象によるＢ−ＯＴＤＲ（Brillouin Optical Time Domain Reflectometer）が特開２０１１−１７６５２号公報に開示されている。
【００１０】
本発明の目的は、火災や侵入を検知する機能を１本の光ファイバケーブルで統合して行うことにより、建造物への配線などの敷設作業を容易にするとともに、システムの簡素化、小型化、省スペース化を図ることができる火災及び侵入の検知並びに報知システムを提供することにある。
【課題を解決するための手段】
【００１１】
上記の目的を達成するために、本発明の特徴は、火災による温度及び侵入を検知する少なくとも１本の光ファイバケーブルを有した１本のワイヤーを備え、前記ワイヤーは監視する所定の箇所に敷設され、また、前記光ファイバケーブルと接続する防災受信機を備え、
前記防災受信機は、前記光ファイバケーブルに接続されて火災による温度を検知する火災検知手段及び侵入を検知する侵入検知手段と、前記火災検知手段及び前記侵入検知手段で検知した異常信号を受け、警報を発する警報発生手段と、異常信号に応じた異常内容及び異常発生箇所を外部へ報知する報知手段を有し、前記光ファイバケーブルが、火災による温度の検知用の光ファイバケーブルと侵入の検知用の光ファイバケーブルがバンドルされて１本に構成され、火災温度検知用の光ファイバケーブルにブリルアン散乱を利用した火災検知手段が接続され、侵入検知用の光ファイバケーブルに歪によるレイリー散乱の伝送損失を利用した侵入検知手段が接続され、前記光ファイバケーブルが、検知の感度と検知箇所の位置の特定のためにシングルモードファイバからなり、前記ワイヤーが、引っ張り強度を得るためにテンションメンバまたは外層の被覆を有していることである。
【００１３】
本発明の他の特徴は、火災による温度及び侵入を検知する少なくとも１本の光ファイバケーブルを有した１本のワイヤーを備え、前記ワイヤーは監視する所定の箇所に敷設され、また、前記光ファイバケーブルと接続する防災受信機を備え、前記防災受信機は、前記光ファイバケーブルに接続されて火災による温度を検知する火災検知手段及び侵入を検知する侵入検知手段と、前記火災検知手段及び前記侵入検知手段で検知した異常信号を受け、警報を発する警報発生手段と、異常信号に応じた異常内容及び異常発生箇所を外部へ報知する報知手段を有し、前記光ファイバケーブルが、火災による温度の検知用の光ファイバケーブルと侵入の検知用の光ファイバケーブルがバンドルされて１本に構成され、火災温度検知用の光ファイバケーブルにブリルアン散乱を利用した火災検知手段が接続され、侵入検知用の光ファイバケーブルにブリルアン散乱を利用した侵入検知手段が接続され、前記光ファイバケーブルが、検知の感度と検知箇所の位置の特定のためにシングルモードファイバからなり、前記ワイヤーが、引っ張り強度を得るためにテンションメンバまたは外層の被覆を有していることである。
【００１５】
本発明の他の特徴は、前記光ファイバケーブルが、１本の光ファイバケーブルからなり、前記防災受信機に備えられたブリルアン散乱検知手段により、前記火災検知手段と前記侵入検知手段を兼ねることである。
【発明の効果】
【００２７】
本発明に係る火災及び侵入の検知並びに報知システムは、火災や侵入を検知する機能を１本のワイヤーとして光ファイバケーブルで統合して行えるようにしたので、建造物への配線などの敷設作業を容易にするとともに、システムの簡素化、小型化、省スペース化を図ることができる。
【図面の簡単な説明】
【００２８】
【図１】本発明に係る火災及び侵入の検知並びに報知システムの第１実施例を示す概要構成説明図である。
【図２】本発明に係る火災及び侵入の検知並びに報知システムの第２実施例を示す概要構成説明図である。
【図３】本発明に係る火災及び侵入の検知並びに報知システムの第３実施例を示す概要構成説明図である。
【図４】本発明に係る火災及び侵入の検知並びに報知システムを建造物へ施工した一例を示す説明図である。
【発明を実施するための形態】
【００２９】
以下、本発明に係る火災及び侵入の検知並びに報知システムの実施の形態の一例を図１乃至図４を参照して詳細に説明する。
本発明に係る火災及び侵入の検知並びに報知システムは、火災による温度及び侵入を検知する検知用の少なくとも１本の光ファイバケーブル１と、光ファイバケーブル１と接続する防災受信機２とを備えている。防災受信機２は、光ファイバケーブル１に接続されて火災による温度を検知する火災検知手段及び侵入を検知する侵入検知手段５と、火災検知手段４及び侵入検知手段５で検知した異常信号を受け、警報を発する警報発生手段６と、異常信号に応じた異常内容及び異常発生箇所を外部へ報知する報知手段７を有している。
【００３０】
防災受信機２に備えている火災検知手段４は、光ファイバケーブル１の光ファイバケーブルからの後方散乱光を受光し、光ファイバケーブルに加わった火災の熱により変化した後方散乱光の強度によって温度を測定し火災の熱を検知するとともに、後方散乱光が入射端に戻ってくるまでの時間を測定することにより熱が加わった光ファイバの箇所から火災の場所を特定する機能を有する火災による温度検知器が使用される。火災による温度検知器は、例えば、４０℃〜１００℃の範囲で異常温度とする閾値温度を設定しておき、測定した温度が短時間で異常温度に上昇したら火災と判断するとともに、検知した光ファイバの箇所から火災の場を特定する。火災検知手段３における後方散乱光の検知方法では、ブリルアン散乱、ラマン散乱のアンチストークス光が利用される。
【００３１】
また、火災の判断方法としては温度の上昇する時間ではなく、光ファイバケーブル１が敷設されている部屋内の各箇所で気温を検知して平均気温を算出し、平均気温に対する温度の差分から火災の熱の異常温度と箇所を検知しても良い。また、光ファイバケーブル１が敷設されている部屋内の気温を感知する箇所を設けその温度との差分から火災の熱の異常温度と箇所を検知しても良い。これにより、徐々に温度が上昇するような火災の場合でも、速やかに火災を検知できる。
【００３２】
また、侵入検知手段５は、光ファイバケーブル１のからの後方散乱光を受光し、後方散乱光の強度または周波数のシフトによって光ファイバに触れることによる光ファイバの歪みを検知するとともに、後方散乱光が入射端に戻ってくるまでの時間を測定することにより歪みが発生した箇所を特定する機能を有する侵入検知器が使用される。侵入者の歩行時に床にかかる体重による光ファイバの歪みを検知したら侵入検知器は侵入があったと判断するとともに、検知した光ファイバの箇所から場所を特定する。侵入検知手段４における後方散乱光の検知方法では、ブリルアン散乱による歪のブリルアン周波数シフト量、やレイリー散乱による後方散乱光強度の歪による伝送損失の低下が利用される。
【００３３】
また、侵入検知手段５として、光ファイバケーブル１をループ状に敷設し、光ファイバケーブルに光分岐結合素子を接続し、光ファイバケーブルに光源から発せられた光を時計回り及び反時計回りに伝播させ、伝播光の時間変化の差を測定し、侵入者の歩行時の振動による光ファイバケーブルの振動を検知し、振動を検知したら侵入があったと判断するとともに、判断した箇所を特定する光ファイバリング干渉型を検知方法とする侵入検知器を使用することもできる。
【００３４】
また、光ファイバケーブル１は、１本の光ファイバケーブルからなるものでもよく、また、火災による温度と侵入の検知用にそれぞれの光ファイバケーブルを用意し、これを一本に束ねたワイヤーとして光ファイバケーブル１としてもよい。光ファイバケーブル１が１本の光ファイバケーブルからなる場合は、光ファイバケーブル１に接続される火災検知手段４及び侵入検知手段５は光路分岐器（図示せず）を介してそれぞれ１本の光ファイバケーブルに接続され、また光ファイバケーブル１が火災による温度、侵入を別々に検知する複数の光ファイバケーブルからなる場合は、それぞれの光ファイバケーブル毎に火災検知手段４と侵入検知手段５が別々に接続される。
【００３５】
なお、光ファイバケーブル１が１本の光ファイバケーブルからなる場合でも、ブリルアン散乱検知手段を利用する場合は、ブリルアン散乱検知手段が火災検知手段４、侵入検知手段５を兼ねるので、光路分岐器をつなげることなくブリルアン散乱検知手段を１本の光ファイバケーブルに接続すればよい。
【００３６】
以上の光ファイバケーブル１はシングルモードファイバとすることが検知の感度と検知箇所の位置の特定のために好ましい。ワイヤーは引っ張り強度を得るためにテンションメンバを有しても良く、検知精度を著しく落とさない程度に外層を被覆しても良い。また、光ファイバケーブル自身も必要に応じてテンションメンバを有しても良い。
【００３７】
また、防災受信機２の警報発生手段６は配線８で警報器９と接続され、火災検知手段４、侵入検知手段５で検知した異常信号を受けたとき、警報器９に警報発生を指示するようになっている。
また、異常内容及び異常発生箇所を外部へ報知する防災受信機２の報知手段７は外部にある警備員室、消防署、警察署等の関係部所と通信線１０で接続され、異常信号を受けたとき、異常の内容及び異常箇所の情報を関係部所へ報知するようになっている。本例では、報知手段７による外部への報知は通信線１０を介して行うようになっているが、無線で行われるようにしてもよい。
【００３８】
なお、侵入を検知して警報を発する場合は、防災受信機において、人が立ち入らない時間帯あるいは許可された者が立ち入っていないときに侵入と判断して警報器９に警報発生を指示し、また、報知手段７は通信線１０で接続された関係部所に報知する。
【００３９】
このように構成された火災及び侵入の検知並びに報知システムの施工にあっては、防災受信機２をビル、家屋、工場、スマートハウス、データセンターなどの建造物の適宜の場所に設置し、光ファイバケーブル１を建造物内あるいは外における監視区域に、満遍なく且つ一筆書き状に敷設する。例えば、建造物の出入り口から続く監視の必要とされる通路、部屋などに、監視内容に応じて床、壁、天井といった箇所に張り巡らせるように敷設する。
警報発生手段６に接続されている警報器１０は建造物に設置しておく必要はなく、建造物から離れた場所、例えば警備員室などに設置してもよい。敷設した光ファイバケーブル１の先端には終端器１１が取り付けられている。
このとき、ワイヤーは検知が速やかにかつ検知箇所の特定を高分解能に精度良く行われるように、通路に対して密に配線されるように蛇行して設けられてもよい。侵入者の歩行による床の振動や歪を感知するため床または通路へ配線し敷設するのがより好ましい。
【００４０】
ワイヤーを敷設する場合は、火災と侵入を感知するためにできるだけ床や通路の表面に近いところに敷設するのがよい。床材の表層下部にワイヤーを敷設するとき、表層に固定されるように敷設する。このようにすることで、侵入者の振動や歪を高感度に感知できる。なお、温度変化による表層のストレスをワイヤーに伝達しないように表層に固定されていない箇所を設けても良い。
【００４１】
図４は、本発明に係る火災及び侵入の検知並びに報知システムを建造物１２へ施工した一例を示す説明図であり、本例では、防災受信機２及び警報器１０を建造物１２の適宜の場所に設置し、光ファイバケーブル１をバンドルしたワイヤーを建造物１２の出入り口１３から続く監視の必要とされる通路１４に、満遍なく密に配線されるように蛇行し且つ一筆書き状に敷設している。
【００４２】
以上のように構成される火災及び侵入の検知並びに報知システムは、光ファイバケーブル１を敷設した建造物内あるいは外における監視区域で、火災が発生した場合、光ファイバケーブル１からの後方散乱光を受光した火災検知手段４が温度を算出して火災と判断される温度を検知するとともに加熱された場所を特定することにより、火災と火災箇所を検知して異常信号を警報発生手段６および報知手段７に発信し、異常信号を受けた警報発生手段６は警報器９に警報発生を指示し、報知手段７は外部にある警備員室、消防署等の関係部所へ火災と火災箇所を報知する。
【００４３】
また、侵入があった場合、光ファイバケーブル１からの後方散乱光を受光した侵入検知手段５が歪みを検知するとともに歪みが発生した場所を特定することにより、侵入と侵入箇所を検知して異常信号を警報発生手段６および報知手段７に発信し、異常信号を受けた警報発生手段６は警報器９に警報発生を指示し、報知手段７は外部にある警備員室、警察署等の関係部所へ侵入と侵入箇所を報知する。
【００４４】
このように、火災及び侵入の検知並びに報知システムによれば、火災や侵入を確実に検知でき、火災検知手段４、侵入検知手段５で検知した異常信号を受け、警報発生手段６が警報器９に警報発生を指示し、報知手段７が異常信号に応じて異常内容及び異常発生箇所を外部へ報知するので、速やかな防災活動が可能となる。このとき、異常発生箇所を監視カメラ（図示せず）で撮影し警備員室でモニターすることで、異常発生箇所の状況を速やかに確認することができ、速やかに必要な防災対応をとることができ、また、誤報であった場合は警報を解除することができる。誤報であった場合は、通信線１０を介して防災受信機を復旧することもできる。
【００４５】
また、火災、不法侵入を検知する機能を少なくとも１本の光ファイバケーブルで統合してワイヤーとして行えるようにしたので、建造物への配線などの敷設作業を容易にするとともに、システムの簡素化、小型化、省スペース化が図れる。
【００４６】
次に、本発明に係る火災及び侵入の検知並びに報知システムの実施例を説明する。
（第１実施例）
図１は本発明に係る火災及び侵入の検知並びに報知システムの第１実施例を示すものである。
本例では光ファイバケーブル１は、火災による温度と侵入の検知用の１本の光ファイバケーブル１ａで構成され、防災受信機２に有する火災検知手段４、侵入検知手段５に接続されている。本例では、火災検知手段４、侵入検知手段５を有するブリルアン散乱を利用する検知方法であるブリルアン散乱検知手段３を利用しており、１本の光ファイバケーブル１ａは１台のブリルアン散乱検知手段３に接続されている。
火災検知はブリルアン散乱の後方散乱光強度を測定して温度を検知する機能から火災を検知し、侵入検知はブリルアン周波数シフト量を測定して歪を検知し侵入者がワイヤーを踏んだときなどの光ファイバケーブル１ａの歪から侵入を検知する。
【００４７】
光ファイバケーブル１には、光ファイバケーブル１ａに沿ってテンションメンバ（図示せず。）が配置されている。
【００４８】
このように構成される第１実施例によれば、建造物への光ファイバケーブル１を有するワイヤーの敷設作業を容易にするとともに、システムの簡素化、小型化、小スペース化を図ることができる。
また、火災検知手段４及び侵入検知手段５はいずれもブリルアン散乱を検知方法に利用しているので、火災検知手段４及び侵入検知手段５を１台のブリルアン散乱検知手段として構成でき、これにより敷設が簡単となり、一層の省スペース化と、前記防災受信機の小型化が図れる。
【００４９】
（第２実施例）
図２は本発明に係る火災及び侵入の検知並びに報知システムの第２実施例を示すものである。
本例では光ファイバケーブル１は、火災による温度の検知用の光ファイバケーブル１ｂと侵入の検知用の光ファイバケーブル１ｃがバンドルされて１本に構成され、火災による温度の検知用の光ファイバケーブル１ｂにラマン散乱を利用した火災検知手段４が接続され、侵入の検知用の光ファイバケーブル１ｃにレイリー散乱を利用した侵入検知手段５が接続されている。
【００５０】
火災検知手段４はラマン散乱のアンチストークス光を検知方法に利用し、侵入検知手段５は歪によるレイリー散乱の伝送損失を検知方法に利用している。
また、本例にあっても、第１実施例と同様に、ワイヤーには、光ファイバケーブル１ｂ、１ｃに沿ってテンションメンバ（図示せず。）を配置しても良いし、必要に応じて。光ファイバケーブル１ｂ、１ｃに検知精度を落とさない程度にテンションメンバを配置しても良い。
【００５１】
なお、図示しないが、火災検知手段４と侵入検知手段５は光路分岐器を介して光ファイバケーブル１ｃに接続して、光ファイバケーブル１ｃを光ファイバケーブル１ｂとして利用しても良いし、火災検知手段４と侵入検知手段５は光路分岐器を介して光ファイバケーブル１ｂに接続して、光ファイバケーブル１ｂを光ファイバケーブル１ｃとして利用しても良い。これらより、光ファイバケーブルの使用本数を減らし、省スペース、小型化ができる。
【００５２】
他の構成は第１実施例と同様なので、同一の符号を付し、説明を省略する。
このように構成される第２実施例によれば、特に、火災の発生と発生箇所を速やかに且つより高分解能で検知でき、また、侵入の発生および発生箇所をより高分解能で検知できる。
【００５３】
（第３実施例）
図３は本発明に係る火災及び侵入の検知並びに報知システムの第３実施例を示すものである。
本例では、光ファイバケーブル１は、第２実施例と同様に、火災による温度の検知用の光ファイバケーブル１ｂと侵入の検知用の光ファイバケーブル１ｆがバンドルされて１本に構成され、火災による温度の検知用の光ファイバケーブル１ｂに火災検知手段４がそれぞれ接続され、侵入の検知用の光ファイバケーブル１ｆに侵入検知手段５がそれぞれ接続されている。
【００５４】
また、本例にあっても、第１実施例と同様に、光ファイバケーブル１には、、光ファイバケーブル１ｂ、１ｆに沿ってテンションメンバ（図示せず。）が配置されていてもよい。
本例では、火災検知手段４はラマン散乱のアンチストークス光を検知方法に利用し、侵入検知手段５は光ファイバリング干渉型による検知方法に利用している。
また、２本の光ファイバケーブル１ｆの光ファイバリング型センサ終端器１５の内部では、ボビン（図示せず）に巻回された所定の長さの光ファイバ１６の両端に２本の光ファイバケーブル１ｆの各端部がそれぞれ接続されている。所定の長さの光ファイバ１６は光ファイバリング干渉型において振動を感知する箇所の不感知箇所を発生させないために接続されている。所定の長さは敷設時の光ファイバケーブル１ｆの長さなどの条件による設計によって求められる。本例では２Ｋｍの長さの光ファイバ１６を接続する。また、本例では光ファイバリング型センサ終端器１５の中に光ファイバボビンを設置しているが、設置場所は光ファイバリング型センサ終端器１５に限らず不感知箇所をなくす位置であれば、どの位置でも良い。
【００５５】
なお、本例において、２本の光ファイバケーブル１ｆの１本について光路分岐器を介して防災受信器２に有する火災検知手段４と侵入検知手段５に接続されていてもよい。この場合、ラマン散乱の火災検知手段４に接続される光ファイバケーブル１ｂを、光ファイバリング干渉型の侵入検知手段５に接続される光ファイバケーブル１ｆに置き換えて利用できるため、光ファイバの使用本数を減らし、敷設を容易にすることができる。
【００５６】
他の構成は第１実施例と同様なので、同一の符号を付し、説明を省略する。
このように構成される第３実施例によれば、火災の発生と発生箇所を速やかに且つより高分解能で検知でき、また、侵入を速やかに且つより高分解能で検知できる。
【符号の説明】
【００５７】
１  光ファイバケーブル
１ａ  火災による温度、侵入の検知用の光ファイバケーブル
１ｂ  火災による温度の検知用の光ファイバケーブル
１ｃ  侵入の検知用の光ファイバケーブル
１ｆ  侵入の検知用の光ファイバケーブル
２  防災受信機
３  ブリルアン散乱検知手段
４  火災検知手段
５  侵入検知手段
６  警報発生手段
７  報知手段
８  配線
９  警報器
１０  通信線
１１  終端器
１２  建造物
１３  出入り口
１４  通路
１５  光ファイバリング型センサ終端器
１６  光ファイバ
【図１】
0006688093.tif 000002
【図２】
0006688093.tif 000003
【図３】
0006688093.tif 000004
【図４】
0006688093.tif 000005